【手続補正書】
【提出日】平成20年1月25日(2008.1.25)
【手続補正１】
【補正対象書類名】明細書
【補正対象項目名】特許請求の範囲
【補正方法】変更
【補正の内容】
【特許請求の範囲】
【請求項１】  開口部を有する容器から製品を分与するための小出しシステムであって、
前記容器の開口部に連通している吐出口で、（１）少なくとも１つの排出孔と、（２）前記排出孔から遠位に位置する遠位シール面と、（３）前記排出孔の近くでこの吐出口の外側に位置する近位シール面とを画定する吐出口と、
前記吐出口上に装着され、引込んだ閉位置と突き出した開位置との間を移動するためのノズル・アセンブリとを備え、前記ノズル・アセンブリが、
（Ａ）（１）前記吐出口の少なくとも一部分の周りの供給経路と、（２）前記吐出口近位シール面に密封係合する近位シール面と、（３）前記ノズル近位シール面の外側に位置し、前記ノズル・アセンブリが前記引込んだ閉位置にあるとき前記吐出口遠位シール面に密封係合する遠位シール面とを有するノズルと、
（Ｂ）（１）前記吐出口遠位シール面から遠位の位置で、前記ノズル供給経路を横切って密封して配置され、（２）初めは閉じており前記バルブの両側に作用する圧力差に応答して開く供給オリフィスを有する、弾力性で可撓性のバルブとを含む小出しシステム。
【請求項２】  前記吐出口が、前記容器に対して静止位置で固定した幾何形状を有し、前記吐出口の遠位シール面が、前記容器に対し前記排出孔から遠位に位置する請求項１に記載の小出しシステム。
【請求項３】  前記ノズル供給経路が、前記ノズル遠位シール面および前記ノズル近位シール面によって少なくとも一部分を画定される、請求項１に記載の小出しシステム。
【請求項４】  請求項１に記載の小出しシステムであって、
前記システムが、前記容器開口部を覆って前記容器に装着するための中空の基部を含み、
前記吐出口が前記基部から延びる小出しシステム。
【請求項５】  前記吐出口が、前記容器開口部および前記吐出口排出孔に連通する内部排出経路を画定する、請求項１に記載の小出しシステム。
【請求項６】  前記吐出口が、前記吐出口遠位シール面を画定する遠位端を有し、前記吐出口排出孔が、前記吐出口遠位端に隣接する、請求項１に記載の小出しシステム。
【請求項７】  前記ノズル・アセンブリが前記引込んだ閉位置から離れるときだけ、前記バルブと前記吐出口排出孔の間の連通が確立できるように、前記ノズル供給経路、前記ノズル遠位シール面、および前記吐出口遠位シール面が前記吐出口の排出孔に対して構成される、請求項１に記載の小出しシステム。
【請求項８】  前記バルブが自己密閉式バルブである、請求項１に記載の小出しシステム。
【請求項９】  容器開口部に面するバルブ側面にかかる圧力が周囲雰囲気に面するバルブ側面に作用する圧力を所定の量だけ超えたとき、前記バルブが外側に開き、
容器開口部に面するバルブの側面に作用する圧力が低下したとき、前記バルブが開位置から閉位置に戻る、請求項８に記載の小出しシステム。
【請求項１０】  前記システムが、前記容器開口部周りの前記容器とは別個であるが前記容器に解放可能に取り付け可能な小出し栓である、請求項１に記載の小出しシステム。
【請求項１１】  前記システムが前記容器を含み、
前記容器が外部雄ネジを有し、
前記システムが、前記容器上の前記雄ネジにネジ式係合するための内部雌ネジを有する中空で全体として円筒形の基部を有する本体を含み、
前記吐出口が前記中空の基部から延びる、請求項１０に記載の小出しシステム。
【請求項１２】  前記バルブが外表面と内表面を画定する環状フランジを有し、
前記ノズルが遠位端を有し、
前記ノズル供給経路が供給開口部中の前記ノズル遠位端で終端し、
前記ノズルが、前記バルブ・フランジ内表面に係合する前記ノズル供給開口部周りの環状台座を画定し、
前記ノズル・アセンブリが、前記ノズルの遠位端で前記ノズルとスナップ式係合している環状保持キャップを含み、
前記保持キャップが、前記保持キャップと前記ノズルの間の前記バルブ・フランジを締め付け固定するための、前記バルブ・フランジの外表面に係合する環状クランプ表面を画定する環状フランジで囲まれた中央開口部を画定する、請求項１に記載の小出しシステム。
【請求項１３】  前記バルブ・フランジが蟻継ぎ（ｄｏｖｅｔａｉｌ）断面を有し、
前記バルブ・フランジの外表面と内表面がそれぞれ円錐台状であり、
前記保持キャップ・フランジ環状クランプ表面および前記ノズル環状台座がそれぞれ円錐台状である、請求項１に記載の小出しシステム。
【請求項１４】  前記バルブが環状フランジを有し、
前記ノズルが、該ノズルの内側に面した環状台座を画定する半径方向の内側を向いたフランジを備えた遠位端を有し、
前記ノズル・アセンブリが、前記バルブを前記ノズル中で保持するために前記ノズルに係合されたリテーナを含み、前記バルブ環状フランジが、前記ノズル環状台座に対し前記リテーナで締め付け固定される、請求項１に記載の小出しシステム。
【請求項１５】  前記リテーナが、前記ノズルにスナップ式係合している全体として環状のリングである、請求項１４に記載の小出しシステム。
【請求項１６】  前記ノズルが内側の環状溝を含み、
前記リテーナが、前記溝にスナップ式係合で受けられるようになった周縁部分を含む、請求項１５に記載の小出しシステム。
【請求項１７】  前記バルブ環状フランジが、円錐台状の外表面と円錐台状の内表面とを画定する蟻継ぎ（ｄｏｖｅｔａｉｌ）断面を有し、
前記ノズルが前記ノズル環状台座で囲まれた中央開口部を有し、
前記ノズル環状台座が、前記バルブ環状フランジの前記円錐台状の外表面に係合する円錐台状の台座であり、
前記リテーナが、前記リテーナと前記ノズル環状台座の間の前記バルブ環状フランジを締め付け固定するための、前記バルブ環状フランジの前記円錐台状の内表面に係合する円錐台状のクランプ表面を有する、請求項１５に記載の小出しシステム。
【請求項１８】  前記バルブが熱硬化性エラストマーから成形される、請求項１に記載の小出しシステム。
【請求項１９】  前記バルブが、外側周縁部が全体として円筒形の外表面を画定する環状フランジを有する、請求項１に記載の小出しシステム。
【請求項２０】  前記吐出口が、前記吐出口近位シール面の内部の外部雄ネジを有し、
前記ノズルが、前記吐出口の外部雄ネジに係合する前記ノズル近位シール面の内部の内部雌ネジを有する、請求項１に記載の小出しシステム。
【請求項２１】  前記ノズル近位シール面が、（１）全体として円筒形のシール面と、（２）前記ノズル円筒形シール面に隣接し一体化する、半径方向の内側に突き出したシール・ビードとを含み、
前記吐出口近位シール面が、（１）半径方向の外側に突き出したシール・ビードと、（２）前記吐出口シール・ビードに隣接し一体化する、全体として円筒形のシール面とを含む、請求項１に記載の小出しシステム。
【請求項２２】  前記吐出口が、前記排出孔から遠位に位置するディスクを含む遠位端を有し、
前記ディスクが、前記吐出口遠位シール面を画定する全体として円筒形の周縁表面と一体化する、アーチ形の周縁遠位端を有し、
前記バルブと前記ノズル近位シール面の間の前記ノズルの一部分が、前記吐出口ディスク周縁表面に密封係合する前記ノズル遠位シール面を画定する、全体として円筒形の内表面を有する、請求項１に記載の小出しシステム。
【請求項２３】  前記吐出口の排出孔が、半径方向を向いた複数の同一排出孔の１つである、請求項１に記載の小出しシステム。